(57)【要約】【課題】  単一指向性コンデンサマイクロホンユニットの後部音響端子を開閉することにより、単一指向性もしくは無指向性に切り替えられる可変指向性コンデンサマイクロホンユニットにおいて、無指向性に切り替える際の感度低下を防止する。【解決手段】  前部音響端子１１を有する円筒状の筐体１０内に、支持リング２２に張設された振動板２１と台座２４に支持された固定極２３とをスペーサを介して対向的に配置してなる変換器２０が収納されており、台座２４に設けられている後部音響端子２４ａが開放されている場合に単一指向性で、後部音響端子２４ａが塞がれることにより無指向性に切り替えられる可変指向性コンデンサマイクロホンユニットにおいて、後部音響端子２４ａ側に無指向性成分を補う空気室Ａ１を備える。【選択図】  図１
2006332928.tif 000002
【特許請求の範囲】
【請求項１】
前部音響端子を有する円筒状の筐体内に、支持リングに張設された振動板と電気絶縁性の台座に支持された固定極とをスペーサを介して対向的に配置してなる変換器が収納されており、上記台座に設けられている後部音響端子が開放されている場合に単一指向性で、上記後部音響端子が塞がれることにより無指向性に切り替えられる可変指向性コンデンサマイクロホンユニットにおいて、
上記後部音響端子側に、無指向性成分を補う空気室を備えることを特徴とする可変指向性コンデンサマイクロホンユニット。
【請求項２】
上記空気室が、上記台座の背面側に装着されるカバー部材により形成され、上記カバー部材はシャッタにより開閉される開口部を備えていることを特徴とする請求項１に記載の可変指向性コンデンサマイクロホンユニット。
【請求項３】
上記空気室が、上記台座の背面側に装着されるカバー部材により形成され、上記カバー部材が着脱可能であることを特徴とする請求項１に記載の可変指向性コンデンサマイクロホンユニット。
【請求項４】
上記空気室の容積が、上記固定極と上記台座との間の後部空気室を含む後部側容積とほぼ同じ容積であることを特徴とする請求項１ないし３のいずれか１項に記載の可変指向性コンデンサマイクロホンユニット。
【発明の詳細な説明】
【技術分野】
【０００１】
本発明は、単一指向性と無指向性とに切り替え可能な可変指向性コンデンサマイクロホンユニットに関し、さらに詳しく言えば、指向性を切り替えた際に感度変化が生じない可変指向性コンデンサマイクロホンユニットに関するものである。
【背景技術】
【０００２】
収音状況によって、単一指向性と無指向性とを切り替えたい場合がある。すなわち、収音目的以外の音がある場合や拡声に用いる場合には単一指向性が好ましく、これに対して、例えばスタジオ内で収音目的以外の音がない場合や拡声する必要がない場合には無指向性が好ましい。
【０００３】
そのためには、単一指向性，無指向性の２つのマイクロホンを用意して、収音状況に応じてそのいずれか一方のマイクロホンを使用すればよいのであるが、コストや運搬の面で好ましくない。また、ユニット部を交換できるマイクロホンもあるが、その交換に手間がかかるばかりでなく、交換を繰り返すうちに接点などを傷めることがある。
【０００４】
他方において、単一指向性コンデンサマイクロホンユニットの後部音響端子を塞ぐことにより、単一指向性を無指向性に切り替えることができ、その従来例を図４により説明する。図４（ａ）は単一指向性コンデンサマイクロホンユニットの正面図，図４（ｂ）はその断面図，図４（ｃ）は無指向性としたときの断面図である。
【０００５】
図４（ａ）（ｂ）を参照して、単一指向性コンデンサマイクロホンユニットは、音源に向けられる側の一端面側に前部音響端子１１を有する円筒状の筐体１０を備え、筐体１０内には静電容量の変化によって音波を電気信号に変換する変換器２０が収納されている。
【０００６】
変換器２０は、支持リング２２に張設された振動板２１と、電気絶縁性の台座２４に支持された固定極２３とを図示しないスペーサを介して対向的に組み合わせることにより構成され、例えばロックリング２６により筐体１０内に固定される。
【０００７】
台座２４には、図示しない電気導体を介して固定極２３と接続される電極引出ロッド２５が設けられ、このユニットを図示しないマイクロホン本体に取り付けたとき、電極引出ロッド２５はマイクロホン本体が備えるインピーダンス変換器であるＦＥＴのゲートに接続される。
【０００８】
また、筐体１０の後方から回り込む音波を振動板２１の背面に作用させるため、固定極２３には多数の音通路孔２３ａが穿設され、台座２４には後部音響端子２４ａが穿設されている。
【０００９】
このように、振動板２１の前面には前部音響端子１１からの音波が作用し、振動板２１の背面には後部音響端子２４ａからの音波が作用するため、このコンデンサマイクロホンユニットは単一指向性として動作するが、図４（ｃ）に示すように、後部音響端子２４ａを例えばシール板２７にて塞ぐことにより無指向性となる。
【発明の開示】
【発明が解決しようとする課題】
【００１０】
図５に単一指向性時の周波数応答特性を示し、図６に無指向性時の周波数応答特性を示す。単一指向性コンデンサマイクロホンユニットは、内部の空気室の容積と無指向性成分の感度が比例する。そのため、図４（ｃ）に示すように、単に後部音響端子２４ａが塞がれると双指向性成分が取り込まれなくなった分、感度が減少し周波数応答が劣化する。図５と図６を比較すると、無指向性とした場合、単一指向性に比べて感度が約６ｄＢ低く周波数応答が劣っている。
【００１１】
したがって、本発明の課題は、単一指向性コンデンサマイクロホンユニットの後部音響端子を開閉することにより、単一指向性もしくは無指向性に切り替えられる可変指向性コンデンサマイクロホンユニットにおいて、無指向性に切り替える際の感度低下を防止することにある。
【課題を解決するための手段】
【００１２】
上記課題を解決するため、請求項１に記載の発明は、前部音響端子を有する円筒状の筐体内に、支持リングに張設された振動板と電気絶縁性の台座に支持された固定極とをスペーサを介して対向的に配置してなる変換器が収納されており、上記台座に設けられている後部音響端子が開放されている場合に単一指向性で、上記後部音響端子が塞がれることにより無指向性に切り替えられる可変指向性コンデンサマイクロホンユニットにおいて、上記後部音響端子側に、無指向性成分を補う空気室を備えることを特徴としている。
【００１３】
請求項２に記載の発明は、上記請求項１において、上記空気室が、上記台座の背面側に装着されるカバー部材により形成され、上記カバー部材はシャッタにより開閉される開口部を備えていることを特徴としている。
【００１４】
請求項３に記載の発明は、上記請求項１において、上記空気室が、上記台座の背面側に装着されるカバー部材により形成され、上記カバー部材が着脱可能であることを特徴としている。
【００１５】
請求項４に記載の発明は、上記請求項１ないし３のいずれか１項において、上記空気室の容積が、上記固定極と上記台座との間の後部空気室を含む後部側容積とほぼ同じ容積であることを特徴としている。
【発明の効果】
【００１６】
請求項１に記載の発明によれば、後部音響端子が開放されている場合に単一指向性で、後部音響端子が塞がれることにより無指向性に切り替えられる可変指向性コンデンサマイクロホンユニットにおいて、後部音響端子側に無指向性成分を補う空気室を備えることにより、指向性を切り替えた際に感度が変化しない可変指向性コンデンサマイクロホンユニットを提供することができる。
【００１７】
空気室が台座の背面側に装着されるカバー部材により形成され、カバー部材はシャッタにより開閉される開口部を備えている請求項２に記載の発明によれば、その開口部をシャッタにより開閉するだけで、感度変化を伴うことなく、簡単に指向性を切り替えることができる。
【００１８】
空気室が台座の背面側に装着されるカバー部材により形成され、カバー部材が着脱可能である請求項３に記載の発明によれば、そのカバー部材を着脱させるだけで、感度変化を伴うことなく、簡単に指向性を切り替えることができる。
【００１９】
空気室の容積を固定極と台座との間の後部空気室を含む後部側容積とほぼ同じ容積とした請求項４に記載の発明によれば、指向性切り替え時にほとんど感度変化が生ずることがなく、周波数応答の劣化も軽減することができる。
【発明を実施するための最良の形態】
【００２０】
次に、図１ないし図３により、本発明の実施形態について説明するが、本発明はこれに限定されるものではない。図１（ａ）は本発明の実施形態に係る可変指向性コンデンサマイクロホンユニットの正面図，図１（ｂ）はその断面図，図２は本発明の別の実施形態に係る可変指向性コンデンサマイクロホンユニットの断面図，図３は無指向性時の周波数応答特性を示すグラフである。なお、先の図４で説明した従来例と同一もしくは同一と見なされてよい構成要素には同じ参照符号を用いる。
【００２１】
図１（ａ）（ｂ）を参照して、この可変指向性コンデンサマイクロホンユニットは、基本的には、単一指向性コンデンサマイクロホンユニットである。すなわち、音源に向けられる側の一端面側に前部音響端子１１を有する円筒状の筐体１０を備え、筐体１０内には静電容量の変化によって音波を電気信号に変換する変換器２０が収納されている。
【００２２】
この実施形態においても、変換器２０は、支持リング２２に張設された振動板２１と、電気絶縁性の台座２４に支持された固定極２３とを図示しないスペーサを介して対向的に組み合わせることにより構成され、例えばロックリング２６により筐体１０内に固定される。なお、筐体１０の後端縁のかしめにより、変換器２０が固定されてもよい。
【００２３】
台座２４には、図示しない電気導体を介して固定極２３と接続される電極引出ロッド２５が設けられ、このユニットを図示しないマイクロホン本体に取り付けたとき、電極引出ロッド２５はマイクロホン本体が備えるインピーダンス変換器であるＦＥＴのゲートに接続される。
【００２４】
また、筐体１０の後方から回り込む音波を振動板２１の背面に作用させるため、固定極２３には多数の音通路孔２３ａが穿設され、台座２４には後部音響端子２４ａが穿設されている。
【００２５】
このように、振動板２１の前面には前部音響端子１１からの音波が作用し、振動板２１の背面には後部音響端子２４ａからの音波が作用するため、このコンデンサマイクロホンユニットは単一指向性として動作し、後部音響端子２４ａを塞ぐことにより、無指向性となるが、その際、感度変化が生じないようにするため、本発明では、後部音響端子２４ａ側に無指向性成分を補う空気室Ａ１を備える。
【００２６】
この実施形態において、空気室Ａ１は、台座２４の背面側に装着されるカバー部材３０ａにより形成される。この場合、カバー部材３０ａは、台座２４の背面との間で空気室Ａ１を形成する皿状のカバーからなるが、空気室Ａ１は台座２４の背面とカバー部材３０ａとの間で形成されればよく、したがって、台座２４の背面側を空気室Ａ１の容積分だけ凹ませ、カバー部材３０ａを平板状のカバーとしてもよい。
【００２７】
この実施形態におけるカバー部材３０ａは、その底面（台座２４と対向する面）に電極引出ロッド２５が気密的に挿通されるロッド挿通孔３１のほかに、空気室Ａ１を大気に連通させる開口部３２を有するとともに、その開口部３２を選択的に開閉するシャッタ３３を備える。開口部３２の大きさおよび個数は任意に決められてよい。
【００２８】
これによれば、開口部３２を開放することにより単一指向性となり、シャッタ３３により開口部３２を塞ぐことにより無指向性となるが、無指向性とする場合、双方向性成分が取り込まれなくなった分、感度が上がるようにするには、空気室Ａ１の容積と、ユニットの後部側容積Ａ２とをほぼ同じとすることが好ましい。
【００２９】
厳密に言えば、空気室Ａ１の容積には、開口部３２による容積も含まれる。また、ユニットの後部側容積Ａ２には、固定極２３と台座２４との間の後部空気室の容積のほかに、振動板２１と固定極２３との間の薄空気層の容積，固定極２３に穿設されている音通路孔２３ａによる容積，後部音響端子２４ａによる容積が含まれる。
【００３０】
シャッタ３３に筐体１０の外部にまで延びる図示しない操作レバーを設けて、開口部３２を開閉可能とすることにより、簡単な操作で単一指向性と無指向性とを切り替えることができるが、別の実施形態として、図２に示すように、底面にロッド挿通孔３１のみを有する皿状のカバー部材３０ｂを台座２４の背面に対して着脱自在に装着するようにしてもよい。
【００３１】
なお、上記カバー部材３０ａ，３０ｂのいずれの場合においても、台座２４の背面との間で空気漏れが生じないように、例えばシリコンゴムなどのシール材を介在させることが好ましい。
【００３２】
図３のグラフに、上記実施形態に係る可変指向性コンデンサマイクロホンユニットを無指向性とした場合の周波数応答特性を示す。なお、単一指向性とした場合の周波数応答特性は図５を参照されたい。これによれば、単一指向性の場合と無指向性の場合とで、感度はほとんど変化していない。また、周波数応答も図６の従来例の場合に比べてきわめて良好である。
【図面の簡単な説明】
【００３３】
【図１】（ａ）本発明の実施形態に係る可変指向性コンデンサマイクロホンユニットの正面図，（ｂ）はその断面図。
【図２】本発明の別の実施形態に係る可変指向性コンデンサマイクロホンユニットの断面図。
【図３】本発明の実施形態に係る可変指向性コンデンサマイクロホンユニットの無指向性時の周波数応答特性を示すグラフ。
【図４】単一指向性コンデンサマイクロホンユニットの正面図，（ｂ）その断面図，（ｃ）は無指向性としたときの断面図。
【図５】単一指向性の周波数応答特性を示すグラフ。
【図６】図４ｃの無指向性としたときの周波数応答特性を示すグラフ。
【符号の説明】
【００３４】
１０  筐体
１１  前部音響端子
２０  変換器
２１  振動板
２２  支持リング
２３  固定極
２３ａ  音通路孔
２４  台座
２４ａ  後部音響端子
３０ａ，３０ｂ  カバー部材
３２  開口部
３３  シャッタ
【図１】
2006332928.tif 000003
【図２】
2006332928.tif 000004
【図３】
2006332928.tif 000005
【図４】
2006332928.tif 000006
【図５】
2006332928.tif 000007
【図６】
2006332928.tif 000008